(57)【特許請求の範囲】
【請求項１】
窒素、燐、カリウムの比（Ｎ：Ｐ：Ｋ）が、６．５：６：１９である肥料に、０．５％以上３％以下のブドウ糖、及び、ＭＳ培地の微量要素とＭＳ培地のビタミン類要素、及び、３０ｍｇ／リットルのエチレンジアミン四酢酸鉄、及び、０．５ｍｇ／リットル以下のベンジルアデニン（ＢＡ）を含有させてあるイチゴ用液体培地組成物。
【発明の詳細な説明】
【０００１】
【発明の属する技術分野】
本発明は、イチゴの苗の長さ（草丈）を伸長させる技術に関し、イチゴ用液体培地組成物に関する。
【０００２】
【従来の技術】
従来、この種のイチゴ用液体培地組成物としては、ＭＳ培地にショ糖を含有させてあるものが知られており、さらに、そのイチゴ用液体培地組成物にベンジルアデニン（以下ＢＡと略称する）を含有させてあるものも知られており、そのようなイチゴ用液体培地組成物によってイチゴを培養することが行われている。
【０００３】
【発明が解決しようとする課題】
上述した従来のイチゴ用液体培地組成物によれば、イチゴの草丈が伸びるとしても苗の数も増えるので、培地組成物が苗の伸長に有効に利用されず、草丈の長い苗の増殖効率が低くなり、イチゴの草丈のみを重点的に伸長させることは困難であった。
【０００４】
従って、本発明の目的は、上記欠点に鑑み、イチゴの草丈の長い苗を重点的に増やすことのできる技術を提供する事にある。
【０００５】
【課題を解決するための手段】
本発明者らは、液体培地の組成を変更することにより、イチゴの苗を増殖させつつ草丈を伸長出来るのではないかと考え、種々の培地組成物について調べたところ、イチゴの草丈の伸長度に関する多数の新知見を得た。本発明は、前記新知見に基づき成されたものであって、
上記目的を達成するための本発明の特徴構成は、窒素、燐、カリウムの比（Ｎ：Ｐ：Ｋ）が、６．５：６：１９である肥料に、０．５％以上３％以下の糖、及び、ＭＳ培地の微量要素とＭＳ培地のビタミン類要素、及び、３０ｍｇ／リットルのエチレンジアミン四酢酸鉄、及び、０．５ｍｇ／リットル以下のベンジルアデニン（ＢＡ）を含有させてイチゴ用液体培地組成物を構成したことにあり、その作用・効果は以下の通りである。
【０００６】
〔作用効果〕
まず本発明者らは、従来の液体培地の基本培地を種々変更して検討したところ、窒素、燐、カリウムの比（Ｎ：Ｐ：Ｋ）が、６．５：６：１９である肥料に、ＭＳ培地の微量要素とＭＳ培地のビタミン類要素、及び、３０ｍｇ／リットルのエチレンジアミン四酢酸鉄を含有させておいた培地を用いた場合に、イチゴの草丈が極めて効率よく伸長するという新知見を得た。また、イチゴ用液体培地組成物には、ＢＡ及び糖を含有させておくことが望ましい。
つまり、本発明はこれらの新知見に基づき成されたものであり、窒素、燐、カリウムの比（Ｎ：Ｐ：Ｋ）が、６．５：６：１９である肥料に、０．５％以上３％以下の糖、及び、ＭＳ培地の微量要素とＭＳ培地のビタミン類要素、及び、３０ｍｇ／リットルのエチレンジアミン四酢酸鉄、及び、０．５ｍｇ／リットル以下のベンジルアデニン（ＢＡ）を含有させてイチゴ用液体培地組成物によってイチゴの苗を培養すれば、前記苗は、草丈が十分に伸び易く、移植するような場合にも取扱容易な苗を短期で効率よく得ることが出来るようになった。
尚、糖としては、ショ糖よりもブドウ糖を用いる方が望ましいという新知見も得ている。
【０００７】
【発明の実施の形態】
以下に本発明の実施の形態を図面に基づいて説明する。
まず、常法に従ってイチゴの茎の先端の生長点を得るとともに、常法にしたがって培養し、１つの植物体１（以下、この段階の植物体を苗とする）にする。多数に増殖させた前記苗を、図１（ニ）、（ホ）で示すようにクラウン部の上下各２ｃｍの所で切断し、クラウン部１ｄを含まない根部１ａ、葉部１ｂ、茎部１ｃを除去した後、このクラウン部を含む切断されたイチゴの３本苗を、ステンレス鋼製の網２ａからなる支持台の上に支持させ、密封容器３に設けた載置部３ａに載置する。また、密封容器３中には植物体の下部に接するように液体培地４が入れてある。そして、この密封容器は、振とう台上に固定して培養期間中振とうを続け、前記液体培地４を常時攪拌して、クラウン部を、気液共に接触可能にした状態で栄養分を供給し続けるようにして、収容した植物体を９週間培養して増殖させる。（図１参照）
【０００８】
このようにしてイチゴの苗を培養させると、草丈１５ｍｍ以上のものが、容器当り平均約１３０本に増加した。さらに増殖したイチゴ苗は、株分けし、再生した植物体としてさらに培養、増殖される（図２参照）。一方、一部は、さらに成長させ、イチゴの果実を栽培するため順化して、自然環境下に移植して用いられる。
【０００９】
尚、ここで用いた振とう台は、振とう台上に固定した密封容器３を、水平面上に円を描くように垂直軸心回りに回転させ、密封容器３内の培地４を攪拌出来るものである。また、ここで用いる密封容器とは、内外で気体の出入りを許容し、かつ、雑菌等の侵入を遮断する容器を意味する。
【００１０】
尚、前記液体培地４には、窒素、燐、カリウムの比（Ｎ：Ｐ：Ｋ）が、６．５：６：１９である肥料として、微粉ハイポネックス（ハイポネクス社製）の０．１％水溶液にＭＳ培地の微量要素（後述）とＭＳ培地のビタミン類要素（後述）とを含有させてあるものを基本培地（以下ＨＹ培地と称する）とし、１％のブドウ糖、及び、３０ｍｇ／リットルのエチレンジアミン四酢酸鉄、及び、０．０３ｍｇ／リットル以下のベンジルアデニン（ＢＡ）を含有させてある液体培地Ａを用いた。
【００１１】
以下にＭＳ培地の組成、及び、ＭＳ培地の微量要素、ビタミン類要素の組成を１リットル当たりの重量（単位ｍｇ）で示す。
【００１２】
0004150782.tif 000002
尚、エチレンジアミン四酢酸鉄を含有させておく場合には、硫酸鉄７水和物、及び、エチレンジアミン四酢酸二ナトリウムは省略する。
【００１３】
0004150782.tif 000003
【００１４】
0004150782.tif 000004
【００１５】
以下に、様々な条件でイチゴの苗１を伸長させた試験例を示す。
〔試験例１〕
常法に従って生長点を培養して得たイチゴの苗１を３本づつ、培地Ａ，Ｂ，Ｃの５０ｍｌずつ入った密封容器３それぞれに密封し、前記振とう台を用いて液体培地４を常時攪拌し続ける条件下、培養を行ってイチゴ苗の１５ｍｍ以上のものの数を調べた。
尚、培地Ｂ〜Ｃは液体培地Ａの基本培地の種類と濃度を様々に変更したものであって、表１に示す通りである。尚、培地の記載において、例えば１／４ＭＳとは。ＭＳ培地を４倍に希釈したものを示すものであり、他のものもこれに準ずる。
【００１６】
その結果、平均増殖本数は表２のようになった。尚、培養期間は９週間である。
【００１７】
【表１】
0004150782.tif 000005
【００１８】
【表２】
0004150782.tif 000006
【００１９】
表２より、ＨＹ培地を用いた場合には、２５ｍｍ〜３５ｍｍに伸長した比較的長い芽の割合が高く、かつ、取り扱い容易な長い芽数も多く培養されていることがわかる。
【００２０】
〔試験例２〕
表３に示す液体培地Ｄ及び液体培地Ｅを用いて、試験例１と同様にイチゴ苗を６週間培養して、１５ｍｍ以上の苗の数を調べた。その結果表４のようになった。
【００２１】
【表３】
0004150782.tif 000007
【００２２】
【表４】
0004150782.tif 000008
【００２３】
その結果、本発明に用いる糖としてはショ糖に比べてブドウ糖が好ましく、ブドウ糖を用いた場合に、より長くて取り扱い容易な高さが得られ、好ましいことが判る。
【００２４】
従って、窒素、燐、カリウムの比（Ｎ：Ｐ：Ｋ）が、６．５：６：１９である肥料に、０．５％以上３％以下のブドウ糖、及び、ＭＳ培地の微量要素とＭＳ培地のビタミン類要素、及び、３０ｍｇ／リットルのエチレンジアミン四酢酸鉄、及び、０．５ｍｇ／リットル以下のベンジルアデニン（ＢＡ）を含有させてあるイチゴ用液体培地組成物によってイチゴを培養すれば、草丈の高い、取り扱い容易なイチゴの苗を効率よく得られることがわかった。
【図面の簡単な説明】
【図１】イチゴの培養方法を示す工程図
【図１】
0004150782.tif 000009